(57)【要約】【課題】オフィスやリモートワーク（またはテレワーク、在宅勤務）などで、パソコンやスマートフォンなどのデバイス上で画面を見ながら行うＷＥＢ上のテレビ会議（またはビデオ会議、またはオンライン会議）において、相手に背景を見せたくない場合に使用し、容易に組み立てられて、組立時には自立し、未使用時には折り畳んで省スペースで収納でき、安価な素材で形成されたテレビ会議用バックスクリーンパネルを提供することを目的とする。【解決手段】  本考案は、少なくとも一本の縦方向折り線により角度が付けられたスクリーンパネル部（１）と、前記スクリーンパネル部（１）と着脱固定でき前記スクリーンパネル部（１）の角度を一定に保つためのベース部（２）と、からなるテレビ会議用バックスクリーンパネルである。【選択図】図１
0003228451.tif 000002
【実用新案登録請求の範囲】
【請求項１】
少なくとも一本の縦方向折り線により角度が付けられたスクリーンパネル部（１）と、前記スクリーンパネル部（１）と着脱固定でき前記スクリーンパネル部（１）の角度を一定に保つためのベース部（２）と、からなるテレビ会議用バックスクリーンパネル。
【請求項２】
請求項１に記載のテレビ会議用バックスクリーンパネルにおいて、前記ベース部（２）の下方に椅子足収容スペース（１１）を設けることができる脚部（３）が備わった、テレビ会議用バックスクリーンパネル。
【請求項３】
請求項２に記載のテレビ会議用バックスクリーンパネルにおいて、前記脚部（３）が前記ベース部（２）と着脱可能に固定された着脱脚部（３ａ）からなる、テレビ会議用バックスクリーンパネル。
【請求項４】
請求項１または請求項２または請求項３に記載のテレビ会議用バックスクリーンパネルにおいて、前記スクリーンパネル部（１）とベース部（２）と脚部（３）と着脱脚部（３ａ）が折畳可能な薄板状体にて形成された、テレビ会議用バックスクリーンパネル。
【請求項５】
請求項１または請求項２または請求項３または請求項４に記載のテレビ会議用バックスクリーンパネルにおいて、前記スクリーンパネル部（１）の表面が緑色になっているテレビ会議用バックスクリーンパネル。
【考案の詳細な説明】
【技術分野】
【０００１】本考案は、テレビ会議（またはビデオ会議、またはオンライン会議）において、相手に背景を見せたくない場合に使用するテレビ会議用バックスクリーンパネルに関する。
【背景技術】
【０００２】  昨今、光通信やＷｉＦｉなどのインターネット通信がオフィスだけでなく家庭でも完備されるようになり、さらにウイルス等の感染拡大を防ぐ意味でも通勤を伴わずに業務を行うスタイルとしてリモートワーク（またはテレワーク、在宅勤務）が急速に定着しつつある。その際、パソコンやスマートフォンなどのデバイス上で画面を見ながら行うＷＥＢ上のテレビ会議（またはビデオ会議、またはオンライン会議）も普及してきたが、パソコンのカメラで自身の顔を映す際に後ろの背景まで映り込んでしまうため、家庭などでは背景を見せたくない場合も多い。【０００３】  業務用として複数の人間が同時通信できるテレビ会議アプリケーションの多くは、顔以外の背景を自動認識してぼかしたり、消して別の画像などに合成したりも備わってはいるが、１対１を基本とするメッセージアプリのような簡易的な動画アプリケーションではぼかしや合成機能は備わっていない。【０００４】  またぼかしや合成機能が備わっていても、例えば背景色と同じような色味の製品サンプルを持ちながら説明したりする場面では、背景と一緒に製品サンプルも消えてしまうなど、その機能も完全とは言えない。そのため映像をそのまま表示させたい場合は、物理的な背景を用意することが必要となる。【０００５】  どうしても綺麗に合成させたい場合に、一部のアプリではグリーンバック（緑色の背景）によってクロマキー合成できる方法が推奨されている。このグリーンバックを用いるには、自身の後ろにスクリーンを設置するスタンドを設置し、そのスタンドに写真スタジオなどで使用されるロール状の緑色スクリーンを取り付けて垂らすか、大型の緑色パネルを用意してスタンド等を利用して設置する必要があり、手間も費用も掛かり、広いスペースを確保する必要もある。【０００６】  そこで、似たような目的として視線を防ぐ衝立（ついたて）として使用するため特許文献１に示すような折り畳み式ついたてが提案されている。【０００７】  また、写真撮影時に使用する背景スクリーンを設置するための機材として、特許文献２に示すような紙製構造体及びこれを用いたスクリーンスタンドが提案されている。【０００８】  また、特定の画像部分だけを消したり合成したりするスクリーンの製造方法として、特許文献３に示すようなクロマキー合成用グリーンスクリーンが提案されている。【０００９】  また、照明や電源を搭載し背景スクリーンを懸架できる機材として、特許文献３に示すような撮影補助装置が提案されている。
【先行技術文献】
【特許文献】
【００１０】
【特許文献１】特開２００９−０１８１０２号
【特許文献２】特開２０１８−１９４１４５号
【特許文献３】特開２０１２−２５３５６５号
【特許文献４】特開平１０−０２０３６７号
【考案の概要】
【考案が解決しようとする課題】
【００１１】  特許文献１のマスク補助具はそもそも緊急避難先での集団生活に使用するついたてで、テレビ会議のための背景としての想定はされておらず、左右側壁面と左右側支持面が一体であり、本体が大きくなればなるほど収納スペースが必要となる。また左右側壁面の角度を保つ方法が両面テープであるため、両面テープを貼れない絨毯床などでは使用出来ない。【００１２】  特許文献２のスクリーンスタンドは、ロール状になっている背景用スクリーンを立設されるための組立式の構造体のみの提案であって、この物品自体に背景スクリーン機能を有しているわけではない。【００１３】  特許文献３のグリーンスクリーンは、スクリーン自体の製法・構造を示すもので、スクリーンがどのような形状を有しているのか、またどのように設置するのかなどの方法については明示が無い。【００１４】  特許文献４の撮影補助装置は、照明や電源を搭載し背景スクリーンを懸架できる撮影補助装置ではあるが、写真撮影時にプロカメラマンが使用するような充実した装備となっており、製造コストが高く、一般人が使用するには難しい。【００１５】そこで、本考案は、オフィスやリモートワーク（またはテレワーク、在宅勤務）などで、パソコンやスマートフォンなどのデバイス上で画面を見ながら行うＷＥＢ上のテレビ会議（またはビデオ会議、またはオンライン会議）において、相手に背景を見せたくない場合に使用し、容易に組み立てられて、組立時には自立し、未使用時には折り畳んで省スペースで収納でき、安価な素材で形成されたテレビ会議用バックスクリーンパネルの提供を目的とする。
【課題を解決するための手段】
【００１６】  上記課題を解決するため、請求項１に記載のテレビ会議バックスクリーンパネルは、少なくとも一本の縦方向折り線により角度が付けられたスクリーンパネル部（１）と、
前記スクリーンパネル部（１）と着脱固定でき前記スクリーンパネル部（１）の角度を一に保つためのベース部（２）からなることを特徴とする。【００１７】請求項２に記載の提案は、請求項１に記載の自立式ＷＥＢ会議用バックスクリーンパネルにおいて、前記ベース部（２）の下方に椅子足収容スペース（１１）を設けることができる脚部（３）が備わったことを特徴とする。【００１８】  請求項３に記載の提案は、請求項２に記載の自立式ＷＥＢ会議用バックスクリーンパネルにおいて、前記脚部（３）が前記ベース部（２）と着脱可能に固定された着脱脚部（３ａ）からなることを特徴とする。【００１９】請求項４に記載の提案は、請求項１または請求項２または請求項３に記載の自立式ＷＥＢ会議用バックスクリーンパネルにおいて、前記スクリーンパネル部（１）とベース部（２）と脚部（３）と着脱脚部（３ａ）が折畳可能な薄板状体にて形成されたことを特徴とする。【００２０】  請求項５に記載の提案は、請求項１または請求項２または請求項３または請求項４に記載の自立式ＷＥＢ会議用バックスクリーンパネルにおいて、前記スクリーンパネル部（１）の表面が緑色になっていることを特徴とする。【００２１】
【考案の効果】
【００２２】  請求項１に係る考案は、スクリーンパネル部に少なくとも一本の縦方向折り線により角度が付けられることでパネルのたわみを減らして強度を増し、着脱固定できるベース部によってスクリーンパネル部の位置と角度を保つことが可能となる。【００２３】  請求項２に係る考案ではベース部の下方に椅子足収容スペースを設けることができる脚部が備わっている。【００２４】  請求項３に係る考案では脚部がベース部と着脱可能に固定された着脱脚部になっている。【００２５】請求項４に係る考案ではクリーンパネル部とベース部と脚部と着脱脚部が薄板状体にて形成されており、これによって組み立てすることも折り畳むことも容易になり、未使用時には省スペースに収納でき、流通コストも抑えることが可能である。【００２６】  請求項５に係る考案ではスクリーンパネル部が緑色となっていて、クロマキー合成用がしやすくなっている。
【図面の簡単な説明】
【００２７】
【図１】本考案の実施例１を示す斜視図である。
【図２】本考案の実施例１の組立状態を示す斜視図である。
【図３】本考案の実施例１の上面図である。
【図４】本考案の実施例２を示す斜視図である。
【図５】本考案の実施例３を示す斜視図である。
【図６】本考案の実施例３の組立前の部品状態を示す平面図である。
【図７】本考案の実施例３においてテレビ会議で使用した状態を示す斜視図である。
【考案を実施するための形態】
【００２８】本考案の好適な実施形態について、添付図面に基づいて説明する。
なお、実施形態は以下の形態に限定されるものではなく、本考案の課題を解決し得るものであれば他の態様も可能である。
【実施例１】
【００２９】図１は本考案の実施例１を示しており、一本の縦方向折り線（４ａ）により角度が付けられた薄板状のスクリーンパネル部（１）と、スクリーンパネル部（１）に着脱固定され、前記スクリーンパネル部（１）の角度を一定に保つためのベース部（２）から形成されている。【００３０】図２で示すように、スクリーンパネル部（１）の下方とベース部（２）の上方にはそれぞれを互いに差し込めるスリット（５）が設けられ、スリットを互いに差し込むとスクリーンパネル部（１）の角度が固定され、スクリーンパネル部（１）がたわむことなく、かつ奥行を取ることなく固定される。【００３１】図３は本考案の実施例１の上面図で、ベース部（２）に差し込まれたスクリーンパネル部（１）がハの字状に固定されていることを示している。【００３２】  図４は本考案の実施例２を示しており、ベース部（２）の下方に椅子足収容スペース（１１）を設けることができる脚部（３）が備わっっており、オフィスチェアの足やキャスターが近接してもこの空間に入り込むことで、使用時の奥行を減らすことが可能である。【００３３】  図５は本考案の実施例３を示しており、すべての部材が薄板状体にて形成され、組み立て式となっている。【００３４】  スクリーンパネル部（１）には１本の縦方向折り線（センター）（４ａ）と２本の縦方向折り線（サイド）（４ｂ）が配されているが、その３本の縦方向折り線によってスクリーンパネル部（１）の強度を増すと共に、正面から見て縦方向折り線（センター）（４ａ）は谷折り、縦方向折り線（サイド）（４ｂ）は山折りとなっており、スクリーンパネル部（１）の幅を広げてＰＣ画面に映る背景範囲（２２）を増やすと同時に、画面奥行きを極力省スペースにすることが可能となっている。【００３５】  図６は本考案の実施例３の組立前の部品状態を示している。すべて薄板状体に分解でき、折畳可能になっているため、薄い収納ケースに入れて流通させることで流通コストを削減し、ユーザーへ安価に提供することが可能である。【００３６】  ベース部（板状）前（２ａ）とベース部（板状）後（２ｂ）の上部には折り返しや差し込みが設けられており、この部分を折り返してからスクリーンパネル部（１）をセットすることでベース部（２）全体の強度を増すことができる。【００３７】  さらに、スクリーンパネル部（１）や着脱脚部（３ａ）やベース部（板状）前（２ａ）、ベース部（板状）後（２ｂ）が独立しているため、それぞれを交換することで、全体の高さを容易に変更することが可能となる。そのため製造設備が大型化せずに済むため、製造コストを抑えることが可能である。【００３８】図７は本考案の実施例３においてテレビ会議で使用した状態を示している。ユーザーはデスクの上のパソコン（２０）を操作し、椅子の座面（２１）に腰かけており、その後ろに本考案のテレビ会議用バックスクリーンパネル（６）が設置されている。【００３９】破線で示したのは、パソコン（２０）の画面上部の内蔵カメラ（２３）から写され、相手のＰＣ画面に映る背景範囲（２２）であり、実際に写り込むのは座面（２１）よりも上、さらに言えば使用者の胸の位置より上であることが多いため、当該範囲であるスクリーンパネル部（１）の表面材だけを美麗な設えにしておけば良く、相手からは見えないベース部（２）や脚部（３）は低コストの材質を使用することで安価に製造することが可能である。【００４０】  なお、テレビ会議用バックスクリーンパネル（６）を構成する薄板状体は、例えば軽量で強度があり製造コストの安い段ボール素材が好適であるが、プラ段ボールやアクリル板などのプラスチックボード類、また薄い木板であっても良い。【００４１】スクリーンパネル部（１）はテレビ会議の背景として適した白などの一般的な背景色でも良いし、使用者だけを切り抜けるクロマキー合成用の緑色となっていても良い。
さらに、片面をテレビ会議の背景として適した白などの一般的な背景色にし、その裏をクロマキー合成用の緑色にすれば、リバーシブルで活用でき１枚で２種類の使い方が可能である。
【産業上の利用可能性】
【００４２】本考案は、テレビ会議だけでなく、スクリーンパネル部（１）に企業・団体のロゴの描かれたポスターなどを貼付すれば、例えば商品説明動画やリモート記者会見など、オフィシャルな情報発信の動画作成の際の背景スクリーンとしてとしても使用することができる。【００４３】また履歴書などに使用するため上半身をスチール撮影する場合の背景スクリーンとして、またオフィスの間仕切りや衝立（ついたて）として、プロジェクターの映像を映すスクリーンとしても利用が可能である。
【符号の説明】
【００４４】１  スクリーンパネル部
２  ベース部
２ａ  ベース部（板状）前
２ｂ  ベース部（板状）後
３  脚部
３ａ  着脱脚部（板状）
４  縦方向折り線
４ａ  縦方向折り線（センター）
４ｂ  縦方向折り線（サイド）
５  スリット
６  テレビ会議用バックスクリーンパネル
１０  椅子足
１１  椅子足収容スペース
２０  パソコン
２１  座面
２２  相手のＰＣ画面に映る背景範囲
２３  内蔵カメラ
【図１】
0003228451.tif 000003
【図２】
0003228451.tif 000004
【図３】
0003228451.tif 000005
【図４】
0003228451.tif 000006
【図５】
0003228451.tif 000007
【図６】
0003228451.tif 000008
【図７】
0003228451.tif 000009